(57)【要約】【課題】ドームライト発光のための車載用照明デバイスを提供する。【解決手段】車載用照明デバイス100は、ドームライトの特性を含むコマンドを入力するための入力回路120、コマンドを受信し、特性の情報を伝える同等のパネル信号を出力する制御回路150、そして同等のパネル信号を受信し、同等のパネル信号に基づいてドームライトを発行させるためのディスプレイモニター110を備える。【選択図】図3
2015074379.tif 000002
【特許請求の範囲】
【請求項１】
ドームライトを発光するため車内に設置される車載用照明デバイスであって、
前記ドームライトの特性を含む複数のコマンドを入力するための入力回路と、
前記コマンドを受信し、特性の情報を伝える同等のパネル信号を出力する制御回路と、
前記同等のパネル信号を受信し、前記同等のパネル信号に基づいてドームライトを発光するためのディスプレイモニターと、
を備える車載用照明デバイス。
【請求項２】
更に前記制御回路に電圧を供給する電源を含む請求項１に記載の車載用照明デバイス。
【請求項３】
更に車両イベントに応じてトリガー信号を生成し、前記制御回路にトリガー信号を提供するための動作トリガーを含む請求項２に記載の車載用照明デバイス。
【請求項４】
前記入力回路は、前記制御回路に複数の設定を書き込むために前記制御回路に接続され、前記制御回路は、前記入力回路からのコマンドを受信するためのMCUプロセッサーを含み、前記動作トリガーからのトリガー信号を受信する請求項３に記載の車載用照明デバイス。
【請求項５】
前記制御回路はMCUプロセッサーから複数の設定を記憶し設定を回復するメモリーを備える請求項４に記載の車載用照明デバイス。
【請求項６】
前記制御回路は、前記電源からの電圧を第1の分割電圧、第2の分割電圧、第3の分割電圧、第4の分割電圧、第5の分割電圧、第6の分割電圧に変換するDC-DCコンバーターを含み、前記第1の分割電圧は入力回路に伝送、前記第2の分割電圧はMCUプロセッサーに伝送、前記第3の分割電圧はメモリーに伝送、そして前記第6の分割電圧はディスプレイモニターに伝送される請求項５に記載の車載用照明デバイス。
【請求項７】
前記MCUプロセッサーは、前記コマンドの処理、対応するデータを生成するためのものであり、前記制御回路は対応するデータと前記第4の分割電圧を受信し、前記ディスプレイモニターに前記同等のパネル信号を出力するためのスカラープロセッサーを含む請求項６に記載の車載用照明デバイス。
【請求項８】
前記ディスプレイモニターはLCDモニターであり、前記制御回路は必要な供給電圧に第5の分割電圧を変換し、前記供給電圧を前記LCDモニターに伝送するためのPWMコンバーターを含む請求項７に記載の車載用照明デバイス。
【請求項９】
前記ディスプレイモニターはOLEDモニターである請求項７に記載の車載用照明デバイス。
【請求項１０】
請求項１に記載の車載用照明デバイスにより実行される操作方法であって、
ドームライトの特性を含む複数のコマンドを入力するステップと、
前記複数のコマンドに基づき、前記特性の情報を伝える同等のパネル信号を生成するステップと、
前記同等のパネル信号に基づき前記ドームライトを発光するステップと、
を備える操作方法。
【請求項１１】
請求項７に記載の車載用照明デバイスにより実行される操作方法であって、
車両のエンジンを始動するステップと、
前記ディスプレイモニターを待機モードにするステップと、
メモリーから設定を読み込むステップと、
「メモリーから設定を読み込む」ステップの後に、「ディスプレイモニターは車両の少なくとも１つのドアが開いている時にONされるべきである」との設定の場合、コマンドおよびトリガー信号の受信を待つステップと、
を備える操作方法。
【請求項１２】
MCUプロセッサーは、「ユーザーが設定を変更したい」のコマンドを受信した場合、設定フローを実行し、操作方法のフロー設定後に「MCUプロセッサーがメモリーから設定を読み込む」のステップに進み、さらに設定フローは、
ユーザーから設定を受信するステップと、
前記メモリーに設定を保存するステップと、
を備える請求項１１に記載の操作方法。
【請求項１３】
MCUプロセッサーが「少なくとも１つの車両ドアが開いている」のトリガー信号のいずれかを受信する設定の場合、「ディスプレイモニターは、車両の少なくとも１つのドアが開いているときにオンされるべきである」との設定か否かをチェックし、
設定が「ディスプレイモニターは、車両の少なくとも一つのドアが開いているときにONされるべきである」でない場合、「コマンドおよびトリガー信号を受信するのを待つ」のステップに進み、
設定が「ディスプレイモニターは、車両の少なくとも１つのドアが開いているときにオンされるべきである」の場合、前記ディスプレイモニターがONかOFFかをチェックし、
前記ディスプレイモニターがONの場合、「コマンドおよびトリガー信号を受信するのを待つ」のステップに進み、
前記ディスプレイモニターがOFFの場合、ONフローを実行する請求項１１に記載の操作方法。
【請求項１４】
「メモリーから設定を読み込む」ステップの後に、「ディスプレイモニターは、常にONでなければならない」設定の場合、前記ディスプレイモニターがONかOFFかをチェックし、
前記ディスプレイモニターがONの場合、「コマンドおよびトリガー信号を受信するのを待つ」のステップに進み、
前記ディスプレイモニターがOFFの場合、ONフローを実行する請求項１１に記載の操作方法。
【請求項１５】
前記ディスプレイモニターがLCDモニターに必要な供給電圧に第5の分割電圧を変換するPWMコンバーターを含む制御回路を有するLCDモニターの場合、電源ONフローは更に次を含む：
スカラープロセッサー、DC-DCコンバーター、PWMコンバーターを作動させる；
前記PWMコンバーターに第5の分割電圧を供給する；
前記ディスプレイモニターに第6の分割電圧を供給する；
前記必要な供給電圧に第5の分割電圧を変換し、前記ディスプレイモニターに必要な供給電圧を供給する；
前記MCUプロセッサーから対応するデータを受信し、前記ディスプレイモニターに前記同等のパネル信号を出力する；そして
前記ドームライトを発光する請求項１３又は１４に記載の操作方法。
【請求項１６】
前記ディスプレイモニターがOLEDモニターの場合、ターンONフローは次を含む：
スカラープロセッサー、DC-DCコンバーターを作動させる；
前記ディスプレイモニターに第6の分割電圧を供給する；
前記MCUプロセッサーから対応するデータを受信し、前記ディスプレイモニターに前記同等のパネル信号を出力する；そして
前記ドームライトを発光する請求項１３又は１４に記載の操作方法。
【請求項１７】
前記MCUプロセッサーが「全ての車両ドアが閉じている」とのトリガー信号のいずれかを受信する設定の場合、「ディスプレイモニターは、車両の少なくとも１つのドアが開いているときにONされるべきである」か否かをチェックし、
設定が「ディスプレイモニターは、車両の少なくとも１つのドアが開いているときにオンされるべきである」でない場合、「コマンドおよびトリガー信号を受信するのを待つ」のステップに進み、
設定が「ディスプレイモニターは、車両の少なくとも１つのドアが開いているときにオンされるべきである」の場合、前記ディスプレイモニターがONかOFFかをチェックし、
前記ディスプレイモニターがOFFの場合、「コマンドおよびトリガー信号を受信するのを待つ」のステップに進み、
前記ディスプレイモニターがONの場合、OFFフローを実行する請求項１１に記載の操作方法。
【請求項１８】
「メモリーから設定を読み込む」ステップの後に「ディスプレイモニターは、常にOFFになければならない」設定の場合、前記ディスプレイモニターがONかOFFかをチェックし、
前記ディスプレイモニターがOFFの場合、「コマンドおよびトリガー信号を受信するのを待つ」ステップに進み、
前記ディスプレイモニターがONの場合、OFFフローを実行する請求項１１に記載の操作方法。
【請求項１９】
前記ディスプレイモニターがLCDモニターである場合のOFFフローは次を含む；
スカラープロセッサーへの第4の分割電圧、PWMコンバーターへの第5の分割電圧、前記ディスプレイモニターへの第6の分割電圧の供給を停止するための信号を前記DC-DCコンバーターに送る請求項１７又は１８に記載の操作方法。
【請求項２０】
前記ディスプレイモニターがOLEDモニターである場合のOFFフローは次を含む；
スカラープロセッサーへの第4の分割電圧、前記ディスプレイモニターへの第6の分割電圧の供給を停止するための信号を前記DC-DCコンバーターに送る請求項１７又は１８に記載の操作方法。
【発明の詳細な説明】
【技術分野】
【０００１】
本発明は、車載用照明デバイスおよび操作方法に関する。
【背景技術】
【０００２】
自動車、バス、トラック、航空機、汽車等の車両には夜間又はトンネル内等の暗い環境時のため照明器具が準備されている。ランプは通常天井部に設置されており、カードームライトと呼ばれる。ランプには2又は3点のポジションが用意されてスイッチにより入り切りを行なう。明かりの色は通常1色が使用される。車内に取り付けられた明かりの色を変更する事は出来ない。更に光の方向を変更又は絞り込む事が出来ない。
【発明の概要】
【課題を解決するための手段】
【０００３】
本発明は車両で使用されているドームランプの変わりにLCDモニター又はOLEDモニターのバックライトを照明として使用する。
【０００４】
本発明の目的はドームライト発光のための車載用照明デバイスを提供する事。
車載用照明デバイスはドームライトの特性を含むコマンドを入力するための入力回路、コマンドを受信し、特性の情報を伝える同等のパネル信号を出力する制御回路、そして当該同等のパネル信号を受信し、当該同等のパネル信号に基づいてドームライトを発行させるためのディスプレイモニターを備える。入力回路は車載用照明デバイスの動作制御の実施形態である。スマートフォンや他のスマートデバイスを応用するより先進的な車載用照明デバイスの制御方法もある。
【０００５】
もう一つの発明の目的は車載用照明デバイスで実行される操作方法である。
操作方法は、ドームライトの特性を含む命令を入力し、コマンドに基づいて特性の情報を伝える同等のパネル信号を生成し、そして同等のパネル信号に基づいてドームライトを発光する。
【図面の簡単な説明】
【０００６】
【図１】図1は、本発明の車載用照明デバイスの車を示している。車は、車両の一例である。
【図２】図2は、ドームライトからの発光が特殊な形状に出来る事を示す。
【図３】図3は、照明デバイスのブロック図を示す。
【図４Ａ】図4Aは、照明デバイスを設定するグラフィカル・ユーザー・インターフェースを示す。
【図４Ｂ】図4Bは、照明デバイスを設定するグラフィカル・ユーザー・インターフェースを示す。
【図４Ｃ】図4Cは、照明デバイスを設定するグラフィカル・ユーザー・インターフェースを示す。
【図５Ａ】図5Aは、形の様々なオプションを示す。
【図５Ｂ】図5Bは、色の様々なオプションを示す。
【図５Ｃ】図5Cは、明るさの様々なオプションを示す。
【図５Ｄ】図5Dは、照明デバイスのサンプル描画アプリケーションを示す。
【図６】図6は、照明デバイスのマスターフローを示すフローチャートを示す。
【図７】図7は、照明デバイスの設定処理のフローチャートを示す。
【図８】図8は、照明デバイスの光をオンにするフローチャートを示す。
【図９】図9は、照明デバイスの光をオフにするフローチャートを示す。
【図１０】図10は、いくつかのマルチメディアを再生するオーバーヘッドモニターに照明デバイスが使用された例を示す図である。
【図１１】図11は、例としてオーバーヘッドモニターをドームライト照明デバイスとして使用した白色画面を示す。
【発明を実施するための形態】
【０００７】
本発明のディスプレイモニターは、通常、DVDなどのマルチメディアディスクを再生することができ、外部ソースからのオーディオおよびビデオ信号を受け、再生が出来るエンタテインメント装置の一部である。従って、本発明に説明されるディスプレイモニターは、図10、11に示すように、エンターテイメントモニター、車載用照明デバイスの一部を兼ねる。図10、11は、ディスプレイモニターが車両の天井に装着されるオーバーヘッドモニターとして示されているがディスプレイモニターは車の室内のどこにも設置することが出来ると理解されるべきである。形状、色、明るさのような光特性は、ディスプレイモニターを制御することにより調整できる。図10に示す様に、ディスプレイモニターが閉じられた状態の時、ディスプレイモニタースクリーンは内側に有るのではなく外側に向いている。そして、ディスプレイモニターはユーザーにより引き下げ、ドームライトの方向を調整する事が出来る。更に、先進的なディスプレイモニターはオペレーティングシステムがインストールされ、多くの選択肢をユーザーに提供する。図5Dで示す通りウィンドウズ（登録商標）オペレーティングシステムのマイクロソフトペイントプログラムで行うのと同様に任意の形、色を描く事が出来る。ドームライトをオンにした時、GIFファイル形式による小画像アニメーションをアップロードすることも出来る。
【０００８】
図１の車900は、車載用照明デバイスを取り付けた実施例である。車900は、照明用に車載用照明デバイス100を有している。車載用照明デバイス100にはディスプレイモニター110を含む。表示装置は、一例で使用されているが、どのような発光装置もドーム光を発するために使用することができる。ディスプレイモニター110はドームライトの光源として動作する。ディスプレイモニター110によって発するドームライトの色および形を変化させることができる。図2による車載用照明デバイス100は、ディスプレイモニターの中央部から集中円筒形導光Lを発光する。
【０００９】
図３による車載用照明デバイス100はディスプレイモニター110、入力回路120、動作トリガー130、電源140、制御回路150を含む。ディスプレイモニター110、入力回路120、動作トリガー130、電源140は制御回路150に接続される。入力回路120は発光を制御する。入力回路120へのユーザー入力コマンドは、発光特性を制御する。入力回路120は、制御回路150に設定を書き込む。キーボタン、スライドボタン、タッチキーボタン、タッチスライドボタン、タッチラジオボタン、タッチチェックボックス、タッチアイコンは、入力回路120に選択的に入力されたりユーザーからのコマンドを使用する事が出来るユーザー・インターフェースの例である。これらのコマンドは、例えば、形状、色、そしてドームライトの明るさとドームライトが発光するべき条件に関する特性に限定されるものではない。入力回路120は、ディスプレイモニターにオペレーティングシステムがインストールされていない時にユーザーが選択する為、あらかじめ定められた様々な色と輝度レベルのグループを表示する事が出来る。入力回路120は、ディスプレイモニターにオペレーティングシステムがインストールされている時に、ユーザーが任意の形状、色、輝度を設定する事が出来る。動作トリガー130は、ドア開閉、エンジン始動、エンジン停止、車両停止、車両移動、車両旋回などの車両に発生するイベントに応じてトリガー信号を生成する。電源140は、制御回路150に電源を供給する。制御回路150は、電圧を受けディスプレイモニター110及び入力回路120などの他の要素に対応する分割された電圧を供給するためのものである。そして、コマンドおよびトリガー信号を受信し、ディスプレイモニター110に表示するための同等のパネル信号を出力する。前記の同等のパネル信号は特性情報を伝送する。ディスプレイモニター110は、分割電圧によってアクティベイトされ、当該同等のパネル信号に基づいて対応する機能を行う。
【００１０】
図4A-Cは、入力回路120の様々なグラフィカル・ユーザー・インターフェースを示している。図4Aは、ユーザーが３つのラジオボタンから1つを選択する為のグラフィカル・ユーザー・インターフェースを示す図である。ユーザーが1つの選択をした場合に、どうなるかが図６のマスターフローに描かれる。図4Aは、図6で実行されるグラフィカル・ユーザー・インターフェースの一例である。図4と同じオプションを提示する他の方法もある。
【００１１】
より高度な例において入力回路120は、図4B-Cで示すようなグラフィカル・ユーザー・インターフェースを含む。図4Bにおいてユーザーは、ディスプレイモニター画面が下のチェックボックスに記載されている特別な条件を除き、ディスプレイモニター画面はいつでもオフである事を意味する「常にオフ」オプションを選択する。「ドアオープン時ON」を選択の場合、車両の少なくとも1つのドアがオープンされる時以外は常にディスプレイモニター画面はオフ状態である事を意味する。図４Cの「常にON」を選択するユーザーはディスプレイモニター画面を常にON状態にすることを求めている。加えて、ユーザーはチェックボックスの下段2つについて、１つ、2つもしくは何も選択しないを選べる。「ドアオープン時ON」「暗くなった時ON」の2つが選択される場合、ユーザーが求めているのは常にディスプレイモニター画面がON、1つのドアがオープン時にディスプレイモニター画面がON、周囲環境が暗い時にディスプレイモニター画面がONである。そして、それらの3つの条件時それぞれの形状、色、明るさがディスプレイモニター画面に表示される。
【００１２】
図5A-Dは形状、色、明るさ、および、オペレーティングシステムのサンプル描画アプリケーションの様々なオプションを示している。図5A-Cを通じてユーザーはいくつかの色、輝度オプションで個別の形を決定することが出来る。例えば、ユーザーは1つのドアがオープンの時に全体のディスプレイモニター画面色を白、全てのドアがクローズされる時に灰色と指定することが出来る。ユーザーがこれらのどれかオプションを選択した時、「常にON」「ドアオープン時ON」「暗くなった時ON」の各条件下でドームライトの形状、色、明るさを設定出来る事が図５A-Cは示している。例えば、次のステップを含む；ユーザーは最初に「常にON」を選択；図5A-Cをディスプレイモニター画面に表示；図５A-Cを終了；メニューに戻る。ユーザーが「ドアオープン時ON」を選択；図5A-Cをスクリーンに表示；図５A-Cを終了；メニューに戻る。図６は、この例に対応するイベントおよび動作のフローを処理するように拡張される必要があることを表す。
【００１３】
図5A-Cは、形、色、輝度レベルの選択のフローを記述する。図5Aにおいて、ユーザーには事前に設定された形の種類が示される。例えば、ユーザーは円を選択する。ユーザーはネクスト（図には示されていない）をクリックし、円の形状において既に設定されている中から色を選択するために図5Bに移行する。次にネクスト（図には示されていない）をクリックし、円の色選択をした緑色の設定されている輝度レベルを選択するために図5Cに移行する。
【００１４】
図5Dは、より複雑な形を描きたいユーザーの為に既にインストールされているオペレーティングシステムによる図形アプリケーションの例を示す。
【００１５】
制御回路150は、MCUプロセッサー151、メモリー152、スカラープロセッサー153、DC-DCコンバーター154、 そして、PWMコンバーター155を含む。MCUプロセッサー151は、入力回路120、動作トリガー130、メモリー152、スカラープロセッサー153、DC-DCコンバーター154、そして、PWMコンバーター155に接続される。DC-DCコンバーター154は、ディスプレイモニター110、入力回路120、MCUプロセッサー151、メモリー152、スカラープロセッサー153、PWMコンバーター155に接続される。スカラープロセッサー153は、ディスプレイモニター110、MCUプロセッサー151、そして、DC-DCコンバーター154に接続される。PWMコンバーター155は、ディスプレイモニター110、MCUプロセッサー151、そして、DC-DC コンバーター154に接続される。
【００１６】
MCUプロセッサー151は、入力回路120からのコマンド、動作トリガー130からのトリガー信号、そして、メモリー152からの設定を受け、直接、個々の機能を実行するためにメモリー152、スカラープロセッサー153、DC-DCコンバーター154およびPWMコンバーター155を制御する。即ち、MCUプロセッサー151は、メモリー152に設定を書き込み、そして、メモリー152から設定を読み取る。DC-DCコンバーター154は、MCUプロセッサー151、入力回路120、メモリー152、PWMコンバーター155、スカラープロセッサー153、ディスプレイモニター110に必要な電圧を生成する。MCUプロセッサー151はコマンドを処理し、このようなスカラープロセッサー153を制御するための形状、色、明るさなどのドームライトの情報を含む対応するデータを生成する。
【００１７】
メモリー152は、車載用照明デバイス100の設定を保存する。メモリー152は、通常不揮発性メモリーである。設定は、車900の異なる状況下でディスプレイモニター110の状態を示している。例えば、設定は、「ディスプレイモニター110は常にON」又は「ディスプレイモニター110は常にOFF」又は「ディスプレイモニター110は車900の少なくともドア１つが開かれた時にON」又は「ディスプレイモニター110は周囲が暗くなる夜間時にONでならなければならない」がある。スカラープロセッサー153は、データを受け、特定の形状、色、向き、及び輝度の対応するドームライトを発光させるためのディスプレイモニター110を駆動するための同等のパネル信号を出力する。
【００１８】
DC-DCコンバーター154は、電源140からの電圧を第1の分割電圧、第2の分割電圧、第3の分割電圧、第4の分割電圧、第5そして第6の分割電圧に変換する。前記の第1の分割電圧は入力回路120、第2の分割電圧はMCUプロセッサー151、第3の分割電圧はメモリー152、第4の分割電圧はスカラープロセッサー153、第5の分割電圧はPWMコンバーター155、そして第６の分割電圧はディスプレイモニター110に伝送される。DC-DCコンバーター154は、常にMCUプロセッサー151への第2の分割電圧を供給し、残りの電圧はMCUプロセッサー151の許可により供給する。
【００１９】
PWMコンバーター155は、MCUプロセッサー151の制御下で必要な供給電圧である第5の分割電圧へ変換し、必要な供給電圧はディスプレイモニター110を表示するために伝送される。PWMコンバーター155は、ディスプレイモニター110がLCDモニターである場合に必要であり、OLEDモニターである場合はPWMコンバーター155が必要でない事を注記する。ディスプレイモニター110がLCDモニターである場合、バックライトはPWMコンバーター155、DC-DCコンバーター154からの第6の分割電圧、およびスカラープロセッサー153からの同等のパネル信号から必要な供給電圧を受けて起動する。ディスプレイモニター110がOLEDモニターである場合、第6の分割電圧、およびスカラープロセッサー153から同等のパネル信号を受けて起動する。
【００２０】
図6を参照すると、照明装置（車載用照明デバイス）100によって実行される一例に係る操作方法のマスターフローは以下のステップを含む。図6は制御のフローの一例であることは注目に値する。本発明の目的を実現する他の多くの例が有り得る。
【００２１】
ステップ202；車900のエンジン始動。
【００２２】
ステップ204；ディスプレイモニター110は待機モードにある。意味するところは、システムは、非常に低いがトリガーされた時にすぐにMCUプロセッサー151が立ち上がることが出来る電力を消費している。待機モードでは、電源がOFFされたMCUプロセッサー151がIC（表示無し）の１つ又はそれ以上のピンを介して信号を受信した直後に電源をオンにトリガーすることが出来る状況を確保する。
【００２３】
ステップ206；MCUプロセッサー151は、メモリー152から設定を読む。設定が「ディスプレイモニター110は車900の少なくともドアの１つがオープン時ONになる。」である場合、マスターフローはステップ208に進む。設定が「ディスプレイモニター110は常にOFF状態。」の場合、ステップ224に進む。設定が「ディスプレイモニター110は常にON状態。」の場合、ステップ228に進む。
【００２４】
ステップ208；MCUプロセッサー151は、コマンドおよびトリガー信号を待機し、コマンドおよびトリガー信号を受信した後、対応する動作を実行する。
【００２５】
ステップ210；MCUプロセッサー151は、いくつかのグラフィカル・ユーザー・インターフェースと図７及び以下に示す設定フローを実行する。グラフィカル・ユーザー・インターフェースの一例が図4Aに示され、別の例が図４B-Cに示されている。MCUプロセッサー151が「ユーザーが設定を変更したい。」のコマンドを受けた場合、設定フローの後にマスターフローはステップ206に進む。
【００２６】
ステップ212；MCUプロセッサー151は、メモリー152からの設定を読み、MCUプロセッサー151が「少なくとも1つでも車両のドアがオープン。」のトリガー信号を受けた場合、設定が「ディスプレイモニター110は車900のドアが１つでも開いた時はON。」か否かを確認する。設定が「ディスプレイモニター110は車900のドアが１つでも開いた時はON。」である場合、マスターフローはステップ214に進む。設定が「ディスプレイモニター110は車900のドアが１つでも開いた時はON。」では無い場合、マスターフローはステップ208に進む。
【００２７】
ステップ214；MCUプロセッサー151は、ディスプレイモニター110がONかOFFかを確認する。ディスプレイモニター110がONであれば、マスターフローはステップ208に進む。ディスプレイモニター110がOFFであれば、マスターフローはステップ216に進む。
【００２８】
ステップ216；MCUプロセッサー151が図8および以下に示すターンオンフローを実行し、マスターフローをターンオン後にマスターフローはステップ208に進む。
【００２９】
ステップ218；MCUプロセッサー151は、メモリー152から設定を読み、MCUプロセッサー151が「全てのドアがクローズ。」のトリガー信号を受けた場合、設定が「ディスプレイモニター110は車900のドアが１つでも開いた時はON。」か否かを確認する。設定が「ディスプレイモニター110は車900のドアが１つでも開いた時はON。」であればマスターフローはステップ220に進む。設定が「ディスプレイモニター110は車900のドアが１つでも開いた時はON。」で無ければマスターフローはステップ208に進む。
【００３０】
ステップ220；MCUプロセッサー151は、ディスプレイモニター110がONかOFFかを確認する。ディスプレイモニター110がOFFであれば、マスターフローはステップ208に進む。ディスプレイモニター110がONであれば、マスターフローはステップ222に進む。
【００３１】
ステップ222；MCUプロセッサー151が図９および以下に示すターニングオフフローを実行し、マスターフローをターンオフした後にマスターフローはステップ208に進む。
【００３２】
ステップ224；MCUプロセッサー151は、ディスプレイモニター110がONかOFFかを確認する。ディスプレイモニター110がOFFであれば、マスターフローはステップ208に進む。ディスプレイモニター110がONであれば、マスターフローはステップ226に進む。
【００３３】
ステップ226；MCUプロセッサー151は、ターニングオフフローを実行する。そして、ターニングオフフローの後にマスターフローはステップ208に進む。
【００３４】
ステップ228；MCUプロセッサー151は、ディスプレイモニター110がONかOFFかを確認する。ディスプレイモニター110がONであれば、マスターフローはステップ208に進む。ディスプレイモニター110がOFFであれば、マスターフローはステップ230に進む。
【００３５】
ステップ230；MCUプロセッサー151は、ターニングオンフローを実行する。そして、ターニングオンフローの後にマスターフローはステップ208に進む。
【００３６】
図7を参照すると、一例による設定フローは以下の段階を含む。
【００３７】
ステップ302；入力回路120は、制御回路150に書き込むためのユーザーからの設定を受ける。この例では、設定は「ディスプレイモニター110は車900のドアが１つでも開いた時はON。」、「ディスプレイモニター110は常にON。」、「ディスプレイモニター110は常にOFF。」の１つを示す。他の例では、設定は「ディスプレイモニター110は周囲が暗くなった時ON。」を含むかもしれない。他の例では、個々の各設定は独自の形、色、輝度レベルを有することができる。または、設定はその他の情報を示すかもれない。
【００３８】
ステップ304；MCUプロセッサー151は、設定を受けてメモリー152にそれらを保存する。
【００３９】
図８を参照すると、一例によるターニングオンフローは以下の段階を含む。
【００４０】
ステップ402；MCUプロセッサー151は、ディスプレイモニター110がLCDモニターかOLEDモニターかを確認する。ディスプレイモニター110がLCDモニターであれば、電源ONフローはステップ404に進む。ディスプレイモニター110がOLEDモニターであれば、電源ONフローはステップ416に進む。
【００４１】
ステップ404；MCUプロセッサー151は、動作を実行させる為の信号をスカラープロセッサー153、DC-DCコンバーター154、PWMコンバーター155に送る。
【００４２】
ステップ406；DC-DCコンバーター154は、第5の分割電圧をPWMコンバーター155に供給する。
【００４３】
ステップ408；DC-DCコンバーター154は、第6の分割電圧をディスプレイモニター110のパネルに供給する。
【００４４】
ステップ410；PWMコンバーター155は、必要な供給電圧のための第5の分割電圧を変換して、ディスプレイモニター110のバックライトに必要な供給電圧を提供する。
【００４５】
ステップ412；スカラープロセッサー153は、データをMCUプロセッサー151から受け、ディスプレイモニター110に同等のパネル信号を出力する。
【００４６】
ステップ414；ディスプレイモニター110は、特定の形状、色、方向、および輝度のドームライトを発光する。
【００４７】
ステップ416；MCUプロセッサー151は、動作を実行させる為の信号をスカラープロセッサー153、DC-DCコンバーター154に送る。
【００４８】
ステップ418；DC-DCコンバーター154は、ディスプレイモニター110のパネルに第6の分割電圧を供給する。そして、電源ONフローはステップ412に進む。
【００４９】
図9を参照すると、一例による電源OFFフローは下記の段階を含む。
【００５０】
ステップ502；MCUプロセッサー151は、ディスプレイモニター110がLCDモニターかOLEDモニターかを確認する。ディスプレイモニター110がLCDモニターであれば、電源OFFフローはステップ504に進む。ディスプレイモニター110がOLEDモニターであれば、電源OFFフローはステップ508に進む。
【００５１】
ステップ504；MCUプロセッサー151は、ディスプレイモニター110、スカラープロセッサー153、PWMコンバーター155への電圧供給を停止する為の信号をDC-DCコンバーター154に送る。そして、電源OFFのフローはステップ506に進む。
【００５２】
ステップ506；ディスプレイモニター110は電源OFF。
【００５３】
ステップ508；MCUプロセッサー151は、ディスプレイモニター110とスカラープロセッサー153への電源供給を停止する信号をDC-DCコンバーター154に送る。そして、電源OFFフローはステップ506に進む。
【００５４】
前述の書面での本発明の説明は通常の技術から現在考えられる最上の形態を可能にしている。これらの技術は明白に示され具体化、方法がこの中に例として示されており認識されるであろう。本発明は上述した方法、例によって本発明の範囲内および精神の実例及び方法により限定されるべきでない。
【符号の説明】
【００５５】
100  車載用照明デバイス
110  ディスプレイモニター
120  入力回路
130  動作トリガー
140  電源
150  制御回路
151  MCUプロセッサー
152  メモリー
153  スカラープロセッサー
154  DC-DCコンバーター
155  PWMコンバーター
900  車
【図１】
2015074379.tif 000003
【図２】
2015074379.tif 000004
【図３】
2015074379.tif 000005
【図６】
2015074379.tif 000006
【図７】
2015074379.tif 000007
【図８】
2015074379.tif 000008
【図９】
2015074379.tif 000009
【図４Ａ】
2015074379.tif 000010
【図４Ｂ】
2015074379.tif 000011
【図４Ｃ】
2015074379.tif 000012
【図５Ａ】
2015074379.tif 000013
【図５Ｂ】
2015074379.tif 000014
【図５Ｃ】
2015074379.tif 000015
【図５Ｄ】
2015074379.tif 000016
【図１０】
2015074379.tif 000017
【図１１】
2015074379.tif 000018